(57)【要約】【課題】２次巻線に接続される複数の端子間の絶縁距離を確保しつつ、小型化や低コスト化を図ることができる高圧装置用のトランスユニットを提供すること。【解決手段】本発明の高圧装置用のトランスユニット１０は、コア１２、１次巻線１３及び２次巻線１４を有する電源トランス１１を備える。電源トランス１１は、１次巻線１３に供給された電圧を高圧装置を駆動する電圧に昇圧して２次巻線１４から出力する。また、トランスユニット１０は、複数の端子７１と複数の端子台７２とを備える。具体的には、端子７１ごとに端子台７２が設けられ、かつ、隣接する端子台７２同士が互いに離間して配置される。そして、端子台７２が有する端子固定部７４上に端子７１が配置された状態で、端子７１が端子固定部７４に固定される。【選択図】図５
2018037428.tif 000002
【特許請求の範囲】
【請求項１】
磁性材料からなる環状のコアと、前記コアに巻回される１次巻線と、前記コアに巻回される２次巻線とを有し、前記１次巻線に供給された電圧を高圧装置を駆動する電圧に昇圧して前記２次巻線から出力する電源トランスを備えたトランスユニットであって、
前記２次巻線に電気的に接続される複数の端子と、
絶縁性を有する材料からなり、支持柱、及び、前記支持柱の先端に設けられた端子固定部を有する複数の端子台と
を備え、
前記複数の端子ごとに前記端子台が設けられ、かつ、隣接する前記端子台同士が互いに離間して配置されており、
前記端子固定部上に前記端子が配置された状態で、前記端子が前記端子固定部に固定される
ことを特徴とする高圧装置用のトランスユニット。
【請求項２】
前記端子固定部に、前記端子を収容する端子収容凹部が形成されていることを特徴とする請求項１に記載の高圧装置用のトランスユニット。
【請求項３】
前記端子固定部に、前記端子収容凹部の開口部を塞ぐ蓋部材が取り付けられており、
前記端子収容凹部に収容されている前記端子は、前記開口部を前記蓋部材で塞ぐことにより、前記端子固定部内に格納される
ことを特徴とする請求項２に記載の高圧装置用のトランスユニット。
【請求項４】
前記端子収容凹部は、他の前記端子台が有する前記端子固定部との対向面においては開口しないことを特徴とする請求項２または３に記載の高圧装置用のトランスユニット。
【請求項５】
前記端子及び前記端子台は一対ずつ設けられており、
一対の前記端子は、それぞれの前記端子台の前記端子固定部に形成された前記端子収容凹部に対して、互いに反対側から挿入されている
ことを特徴とする請求項４に記載の高圧装置用のトランスユニット。
【請求項６】
一対の前記端子は、前記端子収容凹部に収容された状態で、前記高圧装置に電気的に接続された一対のケーブルに対してそれぞれ接続されており、
前記一対のケーブルは、互いに同一方向に引き出される
ことを特徴とする請求項４または５に記載の高圧装置用のトランスユニット。
【請求項７】
前記端子及び前記端子台は一対ずつ設けられており、
一対の前記端子台は、前記コアを挟んでその両側に配置されている
ことを特徴とする請求項１乃至６のいずれか１項に記載の高圧装置用のトランスユニット。
【請求項８】
前記端子固定部が前記コアよりも上方に配置されていることを特徴とする請求項１乃至７のいずれか１項に記載の高圧装置用のトランスユニット。
【請求項９】
前記電源トランスの一部が載置された状態で、前記電源トランスを被固定部に固定する台座を備え、
前記台座の上面に、前記コアの一部を保持する保持溝が形成され、
前記台座において前記保持溝の両側に、前記端子台が取り付けられている
ことを特徴とする請求項１乃至８のいずれか１項に記載の高圧装置用のトランスユニット。
【請求項１０】
前記台座に、前記支持柱の側面に接触する側面を有した段差部が形成されていることを特徴とする請求項９に記載の高圧装置用のトランスユニット。
【請求項１１】
前記支持柱は断面Ｌ字状を成していることを特徴とする請求項１乃至１０のいずれか１項に記載の高圧装置用のトランスユニット。
【請求項１２】
磁性材料からなる環状のコア、前記コアに巻回される１次巻線、及び、前記コアに巻回される２次巻線を有し、前記１次巻線に供給された電圧を高圧装置を駆動する電圧に昇圧して前記２次巻線から出力する電源トランスと、
前記電源トランスが収容される筐体と
を備えた電源装置であって、
前記２次巻線に電気的に接続される複数の端子と、
絶縁性を有する材料からなり、支持柱、及び、前記支持柱の先端に設けられた端子固定部を有する複数の端子台と
を備え、
前記複数の端子ごとに前記端子台が設けられ、かつ、隣接する前記端子台同士が互いに離間して配置されており、
前記端子固定部上に前記端子が配置された状態で、前記端子が前記端子固定部に固定される
ことを特徴とする高圧装置用の電源装置。
【発明の詳細な説明】
【技術分野】
【０００１】
本発明は、プラズマリアクタ等の高圧装置用の電圧を生成するトランスユニット、及び、高圧装置用の電圧を生成する電源装置に関するものである。
【背景技術】
【０００２】
従来、エンジンの排ガスや焼却炉の排ガスをプラズマ場に通すことにより、排ガス中に含まれているＣＯ（一酸化炭素）、ＨＣ（炭化水素）、ＮＯｘ（窒素酸化物）及びＰＭ（Particulate Matter：粒子状物質）などの有害物質を処理するプラズマリアクタが提案されている。このようなプラズマリアクタは、例えば、放電電極が形成された複数のパネルを積層してなり、隣接するパネル間に電圧を印加して誘電体バリア放電による低温プラズマ（非平衡プラズマ）を発生させることにより、パネル間を流れる排ガス中のＰＭを酸化して除去するようになっている。
【０００３】
ところで、プラズマの発生には高電圧（例えば５ｋＶ）が必要である。このため、プラズマリアクタには、通常、電源トランス（例えば、特許文献１，２参照）などで昇圧した電圧が付与されるようになっている。なお、電源トランスは、磁性材料からなる環状のコアと、コアに巻回される巻線（１次巻線及び２次巻線）とを備え、電源から１次巻線に供給された電圧を昇圧して２次巻線から出力するようになっている。また、２次巻線を構成する配線の両端部は、２次巻線から引き出されて、プラズマリアクタに電気的に接続されている。
【先行技術文献】
【特許文献】
【０００４】
【特許文献１】実公平８−２９８６号公報（図１１，図１２等）
【特許文献２】特公平３−６０１６７号公報（第１図等）
【発明の概要】
【発明が解決しようとする課題】
【０００５】
ところが、電源トランスをプラズマの発生に用いると、２次巻線から出力される電圧が高電圧となる。よって、２次巻線から引き出された配線の両端部間の絶縁を確保しておかなければ、両者が導通してしまい、リーク電流が発生するおそれがある。この場合、投入電力に対するプラズマの発生量が少なくなるため、排ガスの浄化効率が低下するという問題がある。しかも、最悪の場合、電源トランス及び電源装置を故障させる虞もある。
【０００６】
そこで、電源トランスとは別に一対の端子台を設け、配線の両端部に取り付けた端子をそれぞれ端子台に固定することにより、両端子間の絶縁距離（空間距離、沿面距離）を確保してリーク電流の発生を防止する技術が考えられている。しかしながら、端子台が別途必要になるため、電源トランスを取り付けた装置が大型化したり、製造コストが上昇したりするおそれがある。
【０００７】
本発明は上記の課題に鑑みてなされたものであり、その目的は、２次巻線に接続された複数の端子間の絶縁距離を確保しつつ、小型化や低コスト化を図ることができる高圧装置用のトランスユニット、及び、高圧装置用の電源装置を提供することにある。
【課題を解決するための手段】
【０００８】
上記課題を解決するための手段（手段１）としては、磁性材料からなる環状のコアと、前記コアに巻回される１次巻線と、前記コアに巻回される２次巻線とを有し、前記１次巻線に供給された電圧を高圧装置を駆動する電圧に昇圧して前記２次巻線から出力する電源トランスを備えたトランスユニットであって、前記２次巻線に電気的に接続される複数の端子と、絶縁性を有する材料からなり、支持柱、及び、前記支持柱の先端に設けられた端子固定部を有する複数の端子台とを備え、前記複数の端子ごとに前記端子台が設けられ、かつ、隣接する前記端子台同士が互いに離間して配置されており、前記端子固定部上に前記端子が配置された状態で、前記端子が前記端子固定部に固定されることを特徴とする高圧装置用のトランスユニットがある。
【０００９】
従って、上記手段１に記載の発明では、トランスユニットが複数の端子台を備えるため、２次巻線に接続された複数の端子をそれぞれ端子台に固定することにより、支持柱の高さの２倍の大きさと隣接する端子台同士の距離との合計の長さ分だけ、各端子間が離間するようになる。よって、各端子間の絶縁が確実に確保される。しかも、トランスユニットが端子台を備えることにより、トランスユニットは、電源トランスを保持する機能に加えて、端子を保持する機能も有するようになる。その結果、トランスユニットとは別に端子台を設けなくても済むようになるため、各端子間の絶縁距離を確保しつつ、電源トランスを取り付けた装置の小型化、低コスト化を図ることができる。
【００１０】
上記トランスユニットは、絶縁性を有する材料からなる複数の端子台を備えている。端子台を構成する絶縁性を有する材料については特に限定されず、コスト性、加工性、機械的強度などを考慮して適宜選択することができる。絶縁性を有する材料としては、例えば、樹脂材料やセラミック材料などが挙げられる。絶縁性を有する材料となる樹脂材料の具体例としては、ポリエーテルエーテルケトン（ＰＥＥＫ）、ポリエチレンテレフタレート（ＰＥＴ）、ポリカーボネート（ＰＣ）、アクリル（ＰＭＭＡ）、ポリエチレン（ＰＥ）、ポリプロピレン（ＰＰ）、ＡＢＳ、ポリイミド（ＰＩ）などがある。絶縁性を有する材料となるセラミック材料の具体例としては、アルミナ、窒化アルミニウム、窒化珪素、窒化ホウ素、べリリア、ムライト、ガラスセラミックなどがある。なお、絶縁性を有する材料として、ゴム、木、紙などを用いてもよい。しかしながら、端子台を構成する材料は、比較的安価な樹脂材料からなることが好ましい。このようにすれば、端子台、ひいては、トランスユニットを低コストで製造することができる。
【００１１】
また、端子台は、支持柱、及び、支持柱の先端に設けられた端子固定部を有している。ここで、支持柱の形状は特に限定される訳ではないが、例えば、支持柱は断面Ｌ字状を成していることが好ましい。このようにすれば、支持柱が断面矩形状や断面円形状などを成す場合に比べて、支持柱の強度を向上させることができる。また、端子固定部の位置も特に限定される訳ではないが、例えば、端子固定部は、コアの側方にではなく、コアよりも上方に配置されていることが好ましい。このようにすれば、トランスユニットに端子台を設けた本発明において、端子台の設置面積分だけトランスユニットが平面方向に大型化することを防止できる。
【００１２】
なお、端子固定部には、端子を収容する端子収容凹部が形成されていることが好ましい。このようにすれば、端子固定部の上面に端子を配置する場合よりも、隣接する端子台にそれぞれ固定された端子間の絶縁距離が長くなるため、端子間でのリーク電流の発生を確実に防止することができる。また、端子固定部に、端子収容凹部の開口部を塞ぐ蓋部材が取り付けられており、端子収容凹部に収容されている端子は、開口部を蓋部材で塞ぐことにより、端子固定部内に格納されることが好ましい。このようにすれば、端子収容凹部内への塵埃の侵入が防止されるため、塵埃が端子に付着してトランスユニットに悪影響を及ぼすことを抑制できる。
【００１３】
さらに、端子収容凹部は、他の端子台が有する端子固定部との対向面においては開口しないことが好ましい。例えば、端子及び端子台が一対ずつ設けられている場合、一対の端子は、それぞれの端子台の端子固定部に形成された端子収容凹部に対して、互いに反対側から挿入されていることが好ましい。このようにすれば、端子収容凹部に収容されている端子と他の端子台の端子固定部にある端子との接触が回避されるため、各端子間の導通を防止することができ、リーク電流の発生を防止することができる。また、一対の端子が、端子収容凹部に収容された状態で、高圧装置に電気的に接続された一対のケーブルに対してそれぞれ接続されている場合、一対のケーブルは、互いに同一方向に引き出されることが好ましい。このようにすれば、ケーブル同士が接触しにくくなるため、リーク電流が一方の端子からケーブルを介してもう一方の端子に流れてしまう、といった問題を回避することができる。
【００１４】
なお、端子及び端子台は一対ずつ設けられており、一対の端子台は、コアを挟んでその両側に配置されていることが好ましい。このようにした場合、コアを挟んで隣接する端子台間の絶縁距離、即ち、それぞれの端子台に固定された端子間の絶縁距離がいっそう長くなるため、端子間でのリーク電流の発生をより確実に防止することができる。
【００１５】
さらに、上記トランスユニットは、電源トランスの一部が載置された状態で、電源トランスを被固定部に固定する台座を備え、台座の上面に、コアの一部を保持する保持溝が形成され、台座において保持溝の両側に、端子台が取り付けられていることが好ましい。このようにした場合、保持溝を介して隣接する端子台間の絶縁距離、即ち、それぞれの端子台に固定された端子間の絶縁距離がいっそう長くなるため、端子間でのリーク電流の発生をより確実に防止することができる。また、コアの一部が保持溝内に収容された状態となるため、台座によってコアを安定的に保持することができる。
【００１６】
なお、台座には、支持柱の側面に接触する側面を有した段差部が形成されていることが好ましい。このようにした場合、支持柱の側面に対して段差部の側面が接触することにより、支持柱が台座に対して位置決めされる。その結果、台座に対する支持柱の位置ズレが防止され、支持柱の固定強度が向上する。
【００１７】
また、上記課題を解決するための別の手段（手段２）としては、磁性材料からなる環状のコア、前記コアに巻回される１次巻線、及び、前記コアに巻回される２次巻線を有し、前記１次巻線に供給された電圧を高圧装置を駆動する電圧に昇圧して前記２次巻線から出力する電源トランスと、前記電源トランスが収容される筐体とを備えた電源装置であって、前記２次巻線に電気的に接続される複数の端子と、絶縁性を有する材料からなり、支持柱、及び、前記支持柱の先端に設けられた端子固定部を有する複数の端子台とを備え、前記複数の端子ごとに前記端子台が設けられ、かつ、隣接する前記端子台同士が互いに離間して配置されており、前記端子固定部上に前記端子が配置された状態で、前記端子が前記端子固定部に固定されることを特徴とする高圧装置用の電源装置がある。
【００１８】
従って、上記手段２に記載の発明では、電源装置が複数の端子台を備えるため、２次巻線に接続された複数の端子をそれぞれ端子台に固定することにより、支持柱の高さの２倍の大きさと隣接する端子台同士の距離との合計の長さ分だけ、各端子間が離間するようになる。よって、各端子間の絶縁が確実に確保される。しかも、電源装置が端子台を備えることにより、電源装置は、電源トランスを保持する機能に加えて、端子を保持する機能も有するようになる。その結果、電源装置とは別に端子台を設けなくても済むようになるため、各端子間の絶縁距離を確保しつつ、電源トランスを取り付けた装置の小型化、低コスト化を図ることができる。
【図面の簡単な説明】
【００１９】
【図１】本実施形態において、電源装置の使用方法を示す概略構成図。
【図２】筐体にトランスユニットが収容されている状態を示す斜視図。
【図３】トランスユニットを示す概略斜視図。
【図４】トランスユニットを示す概略平面図。
【図５】トランスユニットを示す分解斜視図。
【発明を実施するための形態】
【００２０】
以下、本発明を具体化した一実施形態を図面に基づき詳細に説明する。
【００２１】
図１に示されるように、本実施形態の電源装置１は、高圧装置であるプラズマリアクタ２に用いられる電源装置である。プラズマリアクタ２は、自動車のエンジンの排ガスに含まれているＰＭを除去する装置であり、排気管に取り付けられている。また、プラズマリアクタ２は、放電電極が形成された複数のパネルを積層した構造を有している。この場合、電源（図示略）から電源装置１を介して供給されてきたパルス電圧が隣接するパネル間に印加されると、誘電体バリア放電が生じ、放電電極間に誘電体バリア放電によるプラズマが発生する。そして、プラズマの発生により、放電電極間を流通する排ガスに含まれるＰＭが酸化（燃焼）されて除去される。
【００２２】
図１，図２に示されるように、電源装置１は、トランスユニット１０と、トランスユニット１０が収容される筐体３０とを備えている。筐体３０は、自動車の室内に取り付けられる直方体状の容器であり、天板３１、底板３２及び壁部３３，３４，３５，３６を有するとともに、吸気口３７，３８及び排気口３９，４０を有している。また、図２に示されるように、筐体３０内には、トランスユニット１０に加えて、基板４１や、基板４１からの熱を放出するヒートシンク４２等が配置されている。なお、吸気口３７，３８は、対峙する一対の壁部３３，３５のうち一方の壁部３３に配置され、排気口３９，４０は、対峙する一対の壁部３３，３５のうちもう一方の壁部３５に配置されている。そして、各排気口３９，４０には、筐体３０内を換気するためのファン（図示略）が取り付けられている。本実施形態では、排気口３９に取り付けられたファンが、トランスユニット１０が備える電源トランス１１の冷却に用いられ、排気口４０に取り付けられたファンが、基板４１の冷却に用いられている。
【００２３】
図２〜図５に示されるように、電源トランス１１は、筐体３０内に収容されるとともに、吸気口３７と排気口３９とを繋ぐ流路上に配置されている。本実施形態の電源トランス１１は、周波数が１ｋＨｚ以上（本実施形態では１０ｋＨｚ）の高周波であって、電圧が１ｋＶ以上（本実施形態では４ｋＶ）の高電圧となるパルス電圧を出力する自動車用電源トランスである。また、電源トランス１１は、コア１２、１次巻線１３及び２次巻線１４を備えている。コア１２は、磁性材料（例えば、フェライト）からなり、横方向に延びる一対の長尺部２１，２２と高さ方向に延びる一対の短尺部２３，２４とを有する矩形環状を成している。なお、本実施形態では、コア１２の表面に樹脂絶縁膜（図示略）が被覆されている。
【００２４】
図５に示されるように、一対の長尺部２１，２２のうち一方（図５では上側）の長尺部２１には、１次巻線１３及び２次巻線１４からなる巻線部１５が配置されている。１次巻線１３は、樹脂絶縁膜を覆うようにコア１２に巻回されている。１次巻線１３を構成する配線３の両端部は、巻線部１５から引き出されて電源に接続されている。また、２次巻線１４は、１次巻線１３の外周面を覆うようにコア１２に巻回されている。２次巻線１４を構成する配線４の両端部は、巻線部１５から引き出され、ケーブル５を介してプラズマリアクタ２に電気的に接続されている。２次巻線１４の巻数は、１次巻線１３の巻数よりも多くなっている。
【００２５】
なお、本実施形態の電源トランス１１は、電源から１次巻線１３に供給された電圧をプラズマリアクタ２を駆動する電圧に昇圧し、２次巻線１４からプラズマリアクタ２に出力するようになっている。詳述すると、１次巻線１３に電流が流れることにより、２次巻線１４には誘導起電力が発生する。そして、２次巻線１４に発生した誘導起電力に基づく電力が、プラズマリアクタ２に供給される。
【００２６】
図３〜図５に示されるように、トランスユニット１０は、電源トランス１１の一部が載置された状態で、被固定部である筐体３０の内底面５０に電源トランス１１を固定する台座５１を備えている。台座５１は、絶縁性を有する樹脂材料（本実施形態では、ポリエーテルエーテルケトン）からなっている。また、台座５１は、一対の長辺５２，５３と一対の短辺５４，５５とを有する平面視で略長方形状を成している（図４参照）。
【００２７】
さらに、台座５１は、上面５６にて開口する保持溝５７を有している。保持溝５７は、台座５１の長辺５２，５３と平行に延びており、台座５１の一方の短辺５４からもう一方の短辺５５まで延びている。保持溝５７は、コア１２の一部であって、コア１２において１次巻線１３及び２次巻線１４が巻回されていない部位を保持するようになっている。具体的に言うと、保持溝５７は、コア１２を構成する一対の長尺部２１，２２のうち一方（図５では下側）の長尺部２２を保持するようになっている。そして、電源トランス１１は、長尺部２２が保持溝５７に保持された状態で、台座５１に対して横置きに載置される。
【００２８】
図４，図５に示されるように、台座５１には、一対の段差部５８が形成されている。両段差部５８は、台座５１において一方の短辺５４側に配置されるとともに、保持溝５７を挟んでその両側に配置されている。また、両段差部５８が有する側面５９は、保持溝５７を挟んで対向配置されている。
【００２９】
図３〜図５に示されるように、トランスユニット１０は、コア１２に当接した状態でコア１２を台座５１に固定するコア固定具６１を一対備えている。両コア固定具６１は、絶縁性を有する樹脂材料（本実施形態では、ポリエーテルエーテルケトン）からなり、断面矩形状を成す棒状部材である。なお、両コア固定具６１をコア１２の孔部１６に挿通し、各コア固定具６１の中央部分を孔部１６の内周面に接触させるとともに、各コア固定具６１の両端部分を台座５１の上面５６に接触させる。その後、各コア固定具６１の両端部を台座５１にネジ止めすることにより、コア固定具６１の両端部が台座５１の上面５６に固定され、コア１２が台座５１に固定される。
【００３０】
図２〜図５に示されるように、トランスユニット１０は、上述した２本の配線３と、配線３を保持する配線保持台６２とを備えている。配線保持台６２は、台座５１において一方の短辺５５側に位置する領域に配置されている（図４参照）。配線保持台６２は、絶縁性を有する樹脂材料（本実施形態では、ポリエーテルエーテルケトン）からなり、支持柱６３と、支持柱６３の先端に設けられた長尺状の配線保持部６４とを有している。
【００３１】
また、配線保持部６４には、配線３を沿わせて収容する配線収容溝６５が配線保持部６４の長手方向に沿って形成されている。また、配線保持部６４の長さは、コア１２の軸線方向における長さよりも長く、かつ、台座５１の幅以下の長さとなっている。即ち、配線保持台６２は、台座５１を厚さ方向から見たときに、台座５１の外周縁からはみ出さないように配置されている。
【００３２】
図２〜図５に示されるように、トランスユニット１０には、端子７１及び端子台７２が一対ずつ設けられている。即ち、本実施形態のトランスユニット１０では、一対の端子７１ごとに端子台７２が設けられている。両端子７１は、２次巻線１４を構成する配線４の両端部にそれぞれ取り付けられており、２次巻線１４に電気的に接続されている。また、両端子台７２は、互いに隣接するとともに、互いに離間して配置されている。具体的に言うと、両端子台７２は、台座５１において、一方の短辺５５（配線保持台６２が配置される側の短辺）とは反対側の短辺５４側に位置する領域に配置されている（図４参照）。両端子台７２は、台座５１において保持溝５７の両側に取り付けられている。
【００３３】
また、両端子台７２は、絶縁性を有する樹脂材料（本実施形態では、ポリエーテルエーテルケトン）からなり、支持柱７３と、支持柱７３の先端に設けられた端子固定部７４とを有している。支持柱７３は、断面Ｌ字状の棒状を成しており、高さ方向に延びている。また、支持柱７３の基端部には、平面視略矩形状の支持板７５が一体形成されている。なお、支持板７５の裏面は、台座５１の段差部５８によって形成された凹部の底面７６に接触するようになっている。また、支持柱７３の側面７７の一部（具体的には、側面７７において支持柱７３の基端部を構成する領域）は、段差部５８が有する側面５９に接触するようになっている。なお、支持柱７３は、電源トランス１１の表面１２には接触しないように配置されている。そして、支持板７５を凹部の底面７６にネジ止めすることにより、端子台７２が台座５１に固定される。
【００３４】
図４，図５に示されるように、端子固定部７４は、平面視略矩形状（１つの角部が切り欠かれた形状）を成している。端子固定部７４は、コア１２よりも上方に配置されている。詳述すると、支持柱７３の高さは、凹部の底面７６からコア１２の上端面（具体的には、コア１２を構成する長尺部２１の外側面）までの高さよりも高いため、支持柱７３の先端に接続された端子固定部７４は、コア１２よりも上方に位置している。また、端子固定部７４には、端子７１を収容する端子収容凹部８１が形成されている。端子収容凹部８１は、端子固定部７４の上面８２にて開口しており、平面方向に延びている。さらに、端子収容凹部８１は、台座５１の短辺５４側に位置する第１面８３と、台座５１の長辺５２（または長辺５３）側に位置する第２面８４とにおいて開口しており、平面視でＬ字状を成している。即ち、端子収容凹部８１は、他の端子台７２が有する端子固定部７４との対向面８５においては開口しないようになっている。
【００３５】
図２〜図５に示されるように、一対の端子７１は、それぞれの端子台７２に形成された端子収容凹部８１に対して、互いに反対側から挿入されている。具体的に言うと、一方の端子７１は、台座５１の長辺５２側に位置する第２面８４側の開口部から端子収容凹部８１に挿入され、もう一方の端子７１は、台座５１の長辺５３側に位置する第２面８４側の開口部から端子収容凹部８１に挿入されている。そして、両端子７１は、端子収容凹部８１に収容された状態で、端子収容凹部８１の底面に配置されたバスバー８６に対してネジ止めされる。また、端子７１は、上述したケーブル５の端部に取り付けた端子６とともに、バスバー８６に対してネジ止めされる。その結果、両端子７１が、端子収容凹部８１に収容された状態で、一対のケーブル５に対してそれぞれ電気的に接続される。なお、両ケーブル５は、互いに同一方向に引き出されている。具体的に言うと、両ケーブル５は、それぞれの端子台７２に形成された端子収容凹部８１の第１面８３側の開口部から引き出されている。
【００３６】
図２〜図５に示されるように、端子固定部７４には、端子収容凹部８１の開口部を塞ぐ蓋部材８７が取り付けられている。蓋部材８７は、絶縁性を有する樹脂材料（本実施形態では、ポリエーテルエーテルケトン）によって板状に形成されている。また、蓋部材８７は、平面視略矩形状（１つの角部が切り欠かれた形状）を成している。即ち、蓋部材８７の平面視での形状は、端子固定部７４の平面視での形状と等しくなっている。なお、端子収容凹部８１に収容されている端子７１は、開口部を蓋部材８７で塞ぐことにより、端子固定部７４内に格納される。具体的に言うと、端子固定部７４の上面８２上に蓋部材８７を配置し、蓋部材８７を端子固定部７４にネジ止めすることにより、蓋部材８７が端子固定部７４に固定され、端子７１が端子固定部７４内に格納される。
【００３７】
なお、本実施形態の電源トランス１１では、１次巻線１３に電流が流れると、コア１２によって形成される磁路に磁束が発生する。具体的に言うと、図５に示されるように、コア１２の左側部分（短尺部２３）からコア１２の下側部分（長尺部２２）に到達した後、コア１２の右側部分（短尺部２４）からコア１２の上側部分（長尺部２１）に至る磁路に、磁束が発生する。このとき、磁路を通る磁束は、２次巻線１４に鎖交し、２次巻線１４に誘導起電力を発生させる。そして、２次巻線１４は、誘導起電力に基づく電力をプラズマリアクタ２に出力する。
【００３８】
ところが、２次巻線１４から引き出された配線４の両端部間の絶縁が確保されていない場合には、両者が導通してしまい、リーク電流が発生するおそれがある。この場合、投入電力に対するプラズマの発生量が少なくなるため、プラズマリアクタ２による排ガスの浄化効率が低下するという問題がある。しかも、最悪の場合、電源トランス１１及び電源装置１を故障させる虞もある。そこで、本実施形態では、トランスユニット１０に一対の端子台７２を設け、配線４の両端部に取り付けた端子７１をそれぞれ端子台７２に固定している。その結果、両端子７１間の絶縁距離が確保されるため、リーク電流の発生が防止される。
【００３９】
従って、本実施形態によれば以下の効果を得ることができる。
【００４０】
（１）本実施形態の電源装置１では、配線４の両端部に接続された一対の端子７１をそれぞれ端子台７２に固定して、支持柱７３の高さの２倍の大きさと隣接する端子台７２同士の距離との合計の長さ分だけ、両端子７１間を離間させることにより、両端子７１間の絶縁を確保している。しかも、トランスユニット１０が端子台７２を備えることにより、トランスユニット１０は、電源トランス１１を保持する機能に加えて、端子７１を保持する機能も有するようになる。その結果、トランスユニット１０とは別に端子台７２を設けなくても済むようになるため、両端子７１間の絶縁距離を確保しつつ、電源装置１の小型化、低コスト化を図ることができる。
【００４１】
（２）本実施形態では、端子台７２の端子固定部７４が、コア１２の側方にではなく、コア１２よりも上方に配置されている。従って、端子台７２を、台座５１を厚さ方向から見たときに、台座５１の外周面からはみ出さないように配置することができる。また、配線保持台６２も、台座５１を厚さ方向から見たときに、台座５１の外周縁からはみ出さないように配置されている。以上の結果、端子台７２や配線保持台６２の設置面積分だけ、トランスユニット１０が平面方向に大型化することを防止できる。
【００４２】
なお、上記実施形態を以下のように変更してもよい。
【００４３】
・上記実施形態では、端子固定部７４に端子収容凹部８１が形成され、端子収容凹部８１の底面に配置されたバスバー８６に対して端子７１がネジ止めされていた。しかし、端子収容凹部８１を省略し、端子固定部７４の上面８２に設置したバスバー８６に対して端子７１をネジ止めするようにしてもよい。
【００４４】
・上記実施形態のトランスユニット１０には、端子７１及び端子台７２が一対ずつ設けられていたが、端子７１及び端子台７２は、それぞれ３つ以上設けられていてもよい。
【００４５】
・上記実施形態では、一対の端子台７２が台座５１の短辺５４側に配置されていたが、いずれか一方の端子台７２を台座５１の短辺５５側に配置してもよいし、両方の端子台７２を短辺５５側に配置してもよい。また、端子台７２を、台座５１の長辺５２側や長辺５３側に配置してもよい。
【００４６】
・上記実施形態では、コア１２を構成する一対の長尺部２１，２２のうち下側の長尺部２２が、保持溝５７によって保持されていた。しかし、保持溝５７は、上側の長尺部２１を保持するものであってもよいし、一対の短尺部２３，２４のうちいずれか一方を保持するものであってもよい。なお、保持溝５７によって短尺部２３，２４のいずれか一方を保持させる場合、支持柱７３を延長することにより、端子固定部７４をコア１２よりも上方に配置してもよいし、支持柱７３を延長せずに、端子固定部７４をコア１２の側方に配置してもよい。
【００４７】
・上記実施形態の電源トランス１１では、１次巻線１３がコア１２に対して直接巻回され、２次巻線１４が１次巻線１３の外周部分に対して巻回されていたが、２次巻線１４をコア１２に対して直接巻回し、１次巻線１３を２次巻線１４の外周部分に対して巻回してもよい。
【００４８】
・上記実施形態のトランスユニット１０は、自動車に搭載したプラズマリアクタ２に用いられていたが、例えば、船舶等に搭載したプラズマリアクタに用いてもよい。即ち、上記実施形態のトランスユニット１０は、電源トランス１１を強固に固定することが要求される分野に用いられることが好ましい。また、上記実施形態のトランスユニット１０は、高圧装置であるプラズマリアクタ２に用いられていたが、半導体検査装置等の他の高圧装置に用いられていてもよい。
【００４９】
次に、特許請求の範囲に記載された技術的思想のほかに、前述した実施形態によって把握される技術的思想を以下に列挙する。
【００５０】
（１）上記手段１において、前記１次巻線に電気的に接続される配線と、前記配線を保持する配線保持台と、前記電源トランスの一部が載置された状態で、前記電源トランスを被固定部に固定する台座とを備え、前記台座は、一対の長辺と一対の短辺とを有する平面視で略長方形状を成しており、前記台座において一方の前記短辺側に位置する領域に、前記配線保持台が配置されるとともに、前記台座において一方の短辺とは反対側の短辺側に位置する領域に、前記複数の端子台が配置されることを特徴とする高圧装置用のトランスユニット。
【００５１】
（２）磁性材料からなる環状のコアと、前記コアに巻回される１次巻線と、前記コアに巻回され、巻数が前記１次巻線よりも多い２次巻線とを有し、前記１次巻線に供給された電圧をプラズマリアクタを駆動する電圧に昇圧して前記２次巻線から出力する電源トランスを備えたトランスユニットであって、前記２次巻線に電気的に接続される複数の端子と、絶縁性を有する材料からなり、支持柱、及び、前記支持柱の先端に設けられた端子固定部を有する複数の端子台とを備え、前記複数の端子ごとに前記端子台が設けられ、かつ、隣接する前記端子台同士が互いに離間して配置されており、前記端子固定部上に前記端子が配置された状態で、前記端子が前記端子固定部に固定されることを特徴とするプラズマリアクタ用のトランスユニット。
【符号の説明】
【００５２】
１…電源装置
２…高圧装置としてのプラズマリアクタ
５…ケーブル
１０…トランスユニット
１１…電源トランス
１２…コア
１３…１次巻線
１４…２次巻線
３０…被固定部としての筐体
５１…台座
５６…台座の上面
５７…保持溝
５８…段差部
５９…段差部の側面
７１…端子
７２…端子台
７３…支持柱
７４…端子固定部
７７…支持柱の側面
８１…端子収容凹部
８５…対向面
８７…蓋部材
【図１】
2018037428.tif 000003
【図２】
2018037428.tif 000004
【図３】
2018037428.tif 000005
【図４】
2018037428.tif 000006
【図５】
2018037428.tif 000007